(57)【要約】【課題】所定量の錠剤を取り出すことが可能な錠剤容器を提供する。【解決手段】本開示の錠剤容器１００は、口部４と、口部４の下端部に連なり錠剤Ｊの収容空間Ｓを形成する胴部５と、胴部５の下端部を閉塞する底部６とを備える容器本体２と、口部４に着脱自在なキャップ部材１とを備え、キャップ部材１は、口部４の外面を径方向外側から囲む外周壁１１と、外周壁１１の上端部に連なり口部を上方から覆う天壁１３とを有する有頂筒状形状のキャップ本体１０と、キャップ本体１０の内側に装着され、口部４の上端部及び内周面の少なくとも一方に当接し口部４をシールするシール部材２０とを有し、シール部材２０は、収容空間Ｓに面する底壁２１に開口部２３ａを有し、底壁２３の周方向の一部が錠剤Ｊを保持する保持部２９を形成しており、キャップ本体１０との間で錠剤Ｊの計量空間Ｍを形成することを特徴とする。【選択図】図１
2020125152.tif 000002
【特許請求の範囲】
【請求項１】
口部と、該口部の下端部に連なり錠剤の収容空間を形成する胴部と、該胴部の下端部を閉塞する底部とを備える容器本体と、
前記口部に着脱自在なキャップ部材と
を備え、
前記キャップ部材は、
前記口部の外面を径方向外側から囲む外周壁と、該外周壁の上端部に連なり前記口部を上方から覆う天壁とを有する有頂筒状形状のキャップ本体と、
該キャップ本体の内側に装着され、前記口部の上端部及び内周面の少なくとも一方に当接し前記口部をシールするシール部材と
を有し、
該シール部材は、前記収容空間に面する底壁に開口部を有し、前記底壁の周方向の一部が錠剤を保持する保持部を形成しており、前記キャップ本体との間で、又は前記シール部材単体で錠剤の計量空間を形成することを特徴とする錠剤容器。
【請求項２】
前記保持部において、前記計量空間の径方向外側端から前記開口部端縁までの底面視における距離が、前記保持部以外の他の周方向位置における前記計量空間の径方向外側端から前記開口部端縁までの底面視における距離よりも長く形成されている、請求項１に記載の錠剤容器。
【請求項３】
前記保持部における前記計量空間の径方向外側端から前記開口部端縁までの底面視における距離は、錠剤の半径よりも長く、前記他の周方向位置における前記計量空間の径方向外側端から前記開口部端縁までの底面視における距離は、錠剤の半径よりも短い、請求項２に記載の錠剤容器。
【請求項４】
前記保持部における前記計量空間の径方向外側端と前記開口部端縁との間の半径方向位置には、前記保持部から下方に突出する案内壁が設けられている、請求項１から３のいずれか一項に記載の錠剤容器。
【請求項５】
前記保持部は、径方向内側に向かって下方に傾斜している、請求項１から４のいずれか一項に記載の錠剤容器。
【請求項６】
前記シール部材は有底筒状形状を有し、前記計量空間は、前記底壁と、該底壁の外周端から起立する前記シール部材の周壁と、前記天壁とにより画定される、請求項１から５のいずれか一項に記載の錠剤容器。
【請求項７】
前記シール部材は、前記底壁と、該底壁の外周端から起立する前記シール部材の周壁と、該周壁の上端開口を上方から覆う頂壁と、前記周壁の上端部から径方向外側に延びるフランジ部とを有する、請求項１から５のいずれか一項に記載の錠剤容器。
【請求項８】
前記頂壁は、ヒンジ部を介して前記フランジ部に一体形成されている、請求項７に記載の錠剤容器。
【請求項９】
前記口部の内面に嵌合するシール壁が、前記頂壁から垂下している、請求項７又は８に記載の錠剤容器。
【請求項１０】
前記周壁は、前記底壁を越えて下方に延びる延設部を有する、請求項６乃至９のいずれか一項に記載の錠剤容器。
【請求項１１】
前記延設部は、前記保持部の周方向端部近傍において局所的に縮径されている、請求項１０に記載の錠剤容器。
【請求項１２】
前記保持部及び前記延設部の少なくとも一方は、周方向に切り欠き部を挟んで間欠的に形成されている、請求項１０又は１１に記載の錠剤容器。
【発明の詳細な説明】
【技術分野】
【０００１】
本開示は、錠剤容器に関する。
【背景技術】
【０００２】
薬剤等の錠剤を収容する錠剤容器は、錠剤を収容する容器本体の口部をキャップで閉塞するタイプのものが多く用いられている。例えば、特許文献１には、容器本体の内部に軟質ポリエチレンからなるクッション性を備えた中栓を設けて、錠剤容器が意図せず落下した場合でも、中栓に収容された錠剤に衝撃が伝わりにくくした錠剤容器が開示されている。
【先行技術文献】
【特許文献】
【０００３】
【特許文献１】実登２５９９０１２号公報
【発明の概要】
【発明が解決しようとする課題】
【０００４】
ところで、上記特許文献１の錠剤容器では、内容物である錠剤を取り出す場合、キャップを開け、容器本体を適度に傾けて手のひらに錠剤を載せてから使用する必要がある。このとき、使用したい数量以上の錠剤が手のひらに載ってしまうと、使用しなかった錠剤を容器本体内に戻す必要があるが、この場合手のひらに一度載せられた錠剤を再度容器本体内に戻すために衛生上の問題が生じる可能性がある。
【０００５】
本開示は、このような問題点を解決することを課題とするものであり、その目的は、所定量の錠剤を取り出すことが可能な錠剤容器を提供することにある。
【課題を解決するための手段】
【０００６】
本開示の錠剤容器は、
口部と、該口部の下端部に連なり錠剤の収容空間を形成する胴部と、該胴部の下端部を閉塞する底部とを備える容器本体と、
前記口部に着脱自在なキャップ部材と
を備え、
前記キャップ部材は、
前記口部の外面を径方向外側から囲む外周壁と、該外周壁の上端部に連なり前記口部を上方から覆う天壁とを有する有頂筒状形状のキャップ本体と、
該キャップ本体の内側に装着され、前記口部の上端部及び内周面の少なくとも一方に当接し前記口部をシールするシール部材と
を有し、
該シール部材は、前記収容空間に面する底壁に開口部を有し、前記底壁の周方向の一部が錠剤を保持する保持部を形成しており、前記キャップ本体との間で、又は前記シール部材単体で錠剤の計量空間を形成することを特徴とする。
【０００７】
本開示の錠剤容器は、上記構成において、前記保持部において、前記計量空間の径方向外側端から前記開口部端縁までの底面視における距離が、前記保持部以外の他の周方向位置における前記計量空間の径方向外側端から前記開口部端縁までの底面視における距離よりも長く形成されていることが好ましい。
【０００８】
本開示の錠剤容器は、上記構成において、前記保持部における前記計量空間の径方向外側端から前記開口部端縁までの底面視における距離は、錠剤の半径よりも長く、前記他の周方向位置における前記計量空間の径方向外側端から前記開口部端縁までの底面視における距離は、錠剤の半径よりも短いことが好ましい。
【０００９】
本開示の錠剤容器は、上記構成において、前記保持部における前記計量空間の径方向外側端と前記開口部端縁との間の半径方向位置には、前記保持部から下方に突出する案内壁が設けられていることが好ましい。
【００１０】
本開示の錠剤容器は、上記構成において、前記保持部は、径方向内側に向かって下方に傾斜していることが好ましい。
【００１１】
本開示の錠剤容器は、上記構成において、前記シール部材は有底筒状形状を有し、前記計量空間は、前記底壁と、該底壁の外周端から起立する前記シール部材の周壁と、前記天壁とにより画定されることが好ましい。
【００１２】
本開示の錠剤容器は、上記構成において、前記シール部材は、前記底壁と、該底壁の外周端から起立する前記シール部材の周壁と、該周壁の上端開口を上方から覆う頂壁と、前記周壁の上端部から径方向外側に延びるフランジ部とを有することが好ましい。
【００１３】
本開示の錠剤容器は、上記構成において、前記頂壁は、ヒンジ部を介して前記フランジ部に一体形成されていることが好ましい。
【００１４】
本開示の錠剤容器は、上記構成において、前記口部の内面に嵌合するシール壁が、前記頂壁から垂下していることが好ましい。
【００１５】
本開示の錠剤容器は、上記構成において、前記周壁は、前記底壁を越えて下方に延びる延設部を有することが好ましい。
【００１６】
本開示の錠剤容器は、上記構成において、前記延設部は、前記保持部の周方向端部近傍において局所的に縮径されていることが好ましい。
【００１７】
本開示の錠剤容器は、上記構成において、前記保持部及び前記延設部の少なくとも一方は、周方向に切り欠き部を挟んで間欠的に形成されていることが好ましい。
【発明の効果】
【００１８】
本開示によれば、所定量の錠剤を取り出すことが可能な錠剤容器を提供することができる。
【図面の簡単な説明】
【００１９】
【図１】本開示の第１実施形態に係る錠剤容器の正面部分断面図である。
【図２】図１におけるＡ−Ａ断面による断面図である。
【図３】本開示の第１実施形態に係る錠剤容器において、キャップを開放し容器本体を傾倒させて、内容物である錠剤をキャップ内に充填している状態を示す図である。
【図４】本開示の第１実施形態に係る錠剤容器において、キャップ内に充填された錠剤のうち、所定量を越える錠剤を容器本体内に戻している状態を示す図である。
【図５】本開示の第１実施形態に係る錠剤容器において、（ａ）は、保持部を下方に方向付けて所定量の錠剤を保持している状態を示す図であり、（ｂ）は、（ａ）の状態からキャップを周方向に回転させて保持された錠剤を取り出す準備を行っている状態を示す図である。
【図６】本開示の第１実施形態に係る錠剤容器において、保持部を上方に方向付けて計量空間内の所定量の錠剤をキャップから取り出している状態を示す図である。
【図７】錠剤を使用後に、キャップ部材を容器本体に装着した状態を示す図である。
【図８】本開示の第２実施形態に係る錠剤容器の正面部分断面図である。
【図９】図８におけるシール部材の、（ａ）正面断面図、（ｂ）底面図である。
【図１０】本開示の第３実施形態に係る錠剤容器の正面部分断面図である。
【図１１】図１０におけるＢ−Ｂ断面による断面図である。
【図１２】本開示の第３実施形態に係る錠剤容器において、キャップを開放し容器本体を傾倒させて、内容物である錠剤をキャップ内に充填している状態を示す図である。
【図１３】本開示の第３実施形態に係る錠剤容器において、キャップ内に充填された錠剤のうち、所定量を越える錠剤を容器本体内に戻している状態を示す図である。
【図１４】本開示の第３実施形態に係る錠剤容器において、（ａ）は、保持部を下方に方向付けて所定量の錠剤を保持している状態を示す図であり、（ｂ）は、（ａ）の状態からキャップを周方向に回転させて保持された錠剤を取り出す準備を行っている状態を示す図である。
【図１５】本開示の第３実施形態に係る錠剤容器において、保持部を上方に方向付けて計量空間内の所定量の錠剤をキャップから取り出している状態を示す図である。
【図１６】本開示の第３実施形態に係る錠剤容器の変形例における、シール部材の、（ａ）正面図、（ｂ）底面図である。
【発明を実施するための形態】
【００２０】
以下、図面を参照しつつ、本開示の第１実施形態に係る錠剤容器１００について詳細に例示説明する。
【００２１】
なお、本明細書及び特許請求の範囲においては、上下方向は、図１に示すように錠剤容器１００を正立姿勢とした状態における上方、下方を意味するものとする。また、径方向内側とは、図１における錠剤容器１００の中心軸線Ｏを通り中心軸線Ｏに垂直な直線に沿って内側に向かう方向を意味し、径方向外側とは、中心軸線Ｏを通り中心軸線Ｏに垂直な直線に沿って外側に向かう方向を意味するものとする。
【００２２】
図１に示す本実施形態の錠剤容器１００は、内容物である錠剤Ｊを収容する容器本体２と、容器本体２の口部４に螺着されるキャップ部材１とを備えている。
【００２３】
容器本体２は、キャップ部材１を装着する略円筒状の口部４と、口部４の下端部に肩部７を介して連なり、内容物である錠剤Ｊの収容空間Ｓを形成する胴部５と、胴部５の下端を閉塞する底部６とを有している。容器本体２は、例えば、ポリエチレン（ＰＥ）やポリプロピレン（ＰＰ）樹脂製のパリソンを押出ブロー成形することによって形成することができる。しかし、上述の態様には限定されず、容器本体２は、例えばポリエチレンテレフタレート（ＰＥＴ）製容器であり、射出成形によって形成されるＰＥＴ製のプリフォームを二軸延伸ブロー成形することによって形成してもよい。
【００２４】
本実施形態において口部４は略円筒状となっており、収容空間Ｓに収容した内容物の吐出口を構成している。口部４の外周面には口部４を閉塞するキャップ部材１をねじ結合によって装着するための雄ねじ部４ａが一体に設けられている。
【００２５】
なお、口部４は、キャップ部材１をねじ結合に替えて打栓により装着するための環状凸部を設けた構成とすることもできる。
【００２６】
胴部５は、口部４の下端部に肩部７を介して一体に連なり、下方に向けて略同一径を有する円筒形状を有している。また、口部４の下端部には、ネックリング４ｂが一体に設けられている。ネックリング４ｂは口部４に対して径方向外側に向けて突出すると共に中心軸線Ｏを中心として全周に亘って延びる略環状となっている。
【００２７】
本実施形態のキャップ部材１は、図１に示すように、キャップ本体１０と、シール部材２０とを備えている。キャップ本体１０は、口部４の外面を径方向外側から囲む外周壁１１と、外周壁１１の上端部に連なり口部４を上方から覆う天壁１３とを備える有頂筒状形状を有している。外周壁１１の内面には、前述の雄ねじ部４ａに係合可能な雌ねじ部１１ａが形成されており、雌ねじ部１１ａが雄ねじ部４ａに対してねじ係合することでキャップ本体１０は、容器本体２の口部４に固定可能である。外周壁１１の外周面には、利用者が把持してキャップ部材１を着脱し易いように、適宜凹凸面が設けられていてもよい。
【００２８】
本実施形態のシール部材２０は、有底筒状形状を有しており、キャップ本体１０の内側に装着されている。シール部材２０は、容器本体２の収容空間Ｓに面する底壁２３と、底壁２３の外周端から起立する周壁２１と、周壁２１の上端部から径方向外側に延びるフランジ部２５とを備えている。図１の例では、フランジ部２５の外周端がキャップ本体１０の外周壁１１の内面にアンダーカット係合することでシール部材２０はキャップ本体１０に固定されている。また、シール部材２０は、上述のフランジ部２５が口部４の上端部に当接することで口部４を気密にシールしている。本実施形態では、図１に示すように、シール部材２０の底壁２３及び周壁２１と、キャップ本体１０の天壁１３とによって計量空間Ｍが画定されている。
【００２９】
底壁２３には、図１及び図２に示すように、開口部２３ａが形成されている。図１に示すキャップ部材１を容器本体２に装着した状態において、計量空間Ｍは、開口部２３ａを通じて収容空間Ｓと連通している。
【００３０】
図２には、底面視における開口部２３ａの形状が示されている。底壁２３の一部は、所定量の内容物（錠剤Ｊ）を計量空間Ｍ内に保持する保持部２９を形成している。保持部２９は、底壁２３における周方向の一部の領域を指しており、保持部２９の領域において、計量空間Ｍの径方向外側端から開口部２３ａの端縁までの底面視における距離ａ（図２に図示）は、保持部２９が設けられていない他の周方向位置における計量空間Ｍの径方向外側端から開口部２３ａの端縁までの底面視における距離ｂ（図２に図示）よりも長く形成されている。また、本実施形態では、保持部２９における距離ａは、錠剤Ｊの半径よりも長く、保持部２９が設けられていない他の周方向位置における距離ｂは、錠剤Ｊの半径よりも短くなるように形成されている。これによって、図２に示すように計量空間Ｍ内の保持部２９の領域にある錠剤Ｊは、少なくとも図１に示すキャップ部材１の正立状態において底面視で半分以上の領域が保持されているため、計量空間Ｍ内に保持することができる。一方、保持部２９以外の周方向位置にある錠剤Ｊは、底面視で半分以上の領域が開口部２３ａに露出した状態となり十分に保持されないため、図１に示すキャップ部材１の正立状態において開口部２３ａを通じて計量空間Ｍの外に排出される。従って、計量空間Ｍ内には、保持部２９によって保持される所定量の錠剤Ｊのみが保持されることになる。図２に示す保持部２９及び開口部２３ａの例では、３個の錠剤Ｊが所定量として計量空間Ｍ内に保持される。
【００３１】
図１及び図２に示すように、計量空間Ｍの径方向外側端と開口部２３ａの端縁との間の半径方向位置において、保持部２９から下方に突出する案内壁２７が設けられている。本実施形態において案内壁２７は、図２に示すように、中心軸線Ｏを中心とする円周上に形成されており、周方向に間欠的に設けられた支持リブ２７ａにより径方向外側から支持されている。案内壁２７を設けることにより、容器本体２内の錠剤Ｊを計量空間Ｍ内に充填して所定量を計量しようとする際に、保持部２９近傍にある錠剤Ｊを開口部２３ａの方向に誘導して計量空間Ｍ内に入り易くすることができる。案内壁２７はまた、径方向外側から片持ち支持されている保持部２９の強度を高める役割も果たしている。
【００３２】
次に、図１及び図２に示す錠剤容器１００を用いて、所定量の錠剤Ｊを計量して使用する手順について詳説する。
【００３３】
上記構成を有する錠剤容器１００を利用するに際しては、利用者はまず、図１の状態からキャップ本体１０の外周壁１１を把持して中心軸線Ｏ周りに回動させ、キャップ部材１を口部４から取り外す。次に利用者は、図３に示すように、取り外したキャップ部材１の案内壁２７側が上方を向くように上下反転させて手のひらや机等の上に置き、容器本体２の胴部５を把持しながら９０度以上傾倒させる。これによって、収容空間Ｓ内の内容物である錠剤Ｊは、口部４から排出されてキャップ部材１の開口部２３ａから計量空間Ｍ内に充填される。
【００３４】
次に利用者は、容器本体２を再び正立姿勢に戻した後、手のひらや机等に置かれているキャップ部材１をそのままの姿勢で持ち上げて口部４の上方まで移動させる。利用者は、保持部２９の位置が他の周方向位置よりも下方に位置するようにキャップ部材１を図３の紙面に垂直な軸線周りに図３の時計回りに回転させる。そして、図４に示すように、開口部２３ａが天壁１３よりもやや下方に位置する姿勢までキャップ部材１を回転させる。これによって、保持部２９に位置する錠剤Ｊは、底壁２３（保持部２９）と天壁１３との間に保持される一方、保持部２９以外の周方向位置に位置する錠剤Ｊは、底壁２３によって十分な面積で保持されないために、計量空間Ｍから脱落して容器本体２内に落下する。以上の手順によって、保持部２９に位置する錠剤Ｊのみが計量空間Ｍ内に保持される一方、他の周方向位置の錠剤Ｊは計量空間Ｍから排除されるため、保持部２９の周方向長さ（領域の大きさ）に対応した所定量の錠剤Ｊを計量することができる。
【００３５】
次に利用者は、保持部２９が下方に位置する図５（ａ）の姿勢からキャップ部材１を中心軸線Ｏ周りに図５（ｂ）に示す矢印の方向に回転させる。これによって、保持部２９は、周方向に移動しながら上方に移動するが、錠剤Ｊは、計量空間Ｍ内を周方向に滑りながら下方の位置を維持しようとする。従って、保持部２９と錠剤Ｊとの周方向位置に徐々にずれが生じ、キャップ部材１を中心軸線Ｏ周りに１８０度回転させた段階で錠剤Ｊはもはや保持部２９によって保持されず、開口部２３ａを通じて排出可能となる。従って、この状態で開口部２３ａ付近に手のひらを移動させることで所定量の錠剤Ｊを手のひらに載せることができる。
【００３６】
なお、計量された所定量の錠剤Ｊを手のひらに導く方法は上記に限定されず、例えば、図４に示す姿勢からキャップ部材１を更に図４の時計回りに回転させ続け、図６に示すように保持部２９が中心軸線Ｏよりも上方に位置する姿勢とすればよい。これによって、保持部２９内の錠剤Ｊは、図６において下方に向けて開口する開口部２３ａを通じて計量空間Ｍから排出され、利用者は所定量の錠剤Ｊを手のひらに載せることができる。
【００３７】
利用者は、錠剤Ｊを使用後、キャップ部材１を再び容器本体２の口部４に装着する。計量された錠剤Ｊの一部を使用せずに計量空間Ｍ内に残したままキャップ部材１を容器本体２に装着した場合でも、図７に示すように保持部２９が径方向内側に向かって僅かに下方に傾斜しているため、計量空間Ｍ内の錠剤Ｊを開口部２３ａを通じて容器本体２の収容空間Ｓ内に戻すことができる。
【００３８】
以上述べたように、本実施形態は、口部４と、口部４の下端部に連なり錠剤Ｊの収容空間Ｓを形成する胴部５と、胴部５の下端部を閉塞する底部６とを備える容器本体２と、口部４に着脱自在なキャップ部材１とを備え、キャップ部材１は、口部４の外面を径方向外側から囲む外周壁１１と、外周壁１１の上端部に連なり口部４を上方から覆う天壁１３とを有する有頂筒状形状のキャップ本体１０と、キャップ本体１０の内側に装着され、口部４の上端部及び内周面の少なくとも一方に当接し口部４をシールするシール部材２０とを有し、シール部材２０は、収容空間Ｓに面する底壁２３に開口部２３ａを有し、底壁２３の周方向の一部が錠剤Ｊを保持する保持部２９を形成しており、キャップ本体１０との間で錠剤Ｊの計量空間Ｍを形成するように構成した。このような構成の採用によって、キャップ部材１に形成した計量空間Ｍ内に所定数量の錠剤Ｊを充填してから取り出すことができるので、必要以上の錠剤Ｊを取り出した後に容器本体２内に戻すことがないため、衛生上の問題を抑制することができる。
【００３９】
また、本実施形態では、保持部２９において、計量空間Ｍの径方向外側端から開口部２３ａの端縁までの底面視における距離が、保持部２９以外の他の周方向位置における計量空間Ｍの径方向外側端から開口部２３ａの端縁までの底面視における距離よりも長く形成されるように構成した。このような構成の採用によって、保持部２９に錠剤Ｊを保持させ易くすることができるので、保持部２９の大きさに対応した所定量の錠剤Ｊを容易に保持してから取り出すことができる。
【００４０】
また、本実施形態では、保持部２９における計量空間Ｍの径方向外側端から開口部２３ａの端縁までの底面視における距離は、錠剤Ｊの半径よりも長く、他の周方向位置における計量空間Ｍの径方向外側端から開口部２３ａの端縁までの底面視における距離は、錠剤Ｊの半径よりも短くなるように構成した。このような構成の採用によって、保持部２９に錠剤Ｊをより確実に保持できる一方、他の周方向位置において錠剤Ｊが保持されないようにすることができるので、保持部２９の領域の大きさに対応した所定量の錠剤Ｊをより正確に保持してから取り出すことができる。
【００４１】
また、本実施形態では、保持部２９における計量空間Ｍの径方向外側端と開口部２３ａの端縁との間の半径方向位置には、保持部２９から下方に突出する案内壁２７が設けられるように構成した。このような構成の採用によって、錠剤Ｊを計量空間Ｍ内に充填して所定量を計量しようとする際に、保持部２９近傍にある錠剤Ｊを開口部２３ａの方向に誘導して計量空間Ｍ内に入り易くすることができる。また、案内壁２７によって、径方向外側から片持ち支持されている保持部２９の強度を高めることができる。
【００４２】
また、本実施形態では、保持部２９は、径方向内側に向かって下方に傾斜するように構成した。このような構成の採用によって、計量された錠剤Ｊの一部を使用せずに計量空間Ｍ内に残したままキャップ部材１を容器本体２に装着した場合でも、保持部２９の傾斜により、計量空間Ｍ内の錠剤Ｊを開口部２３ａを通して収容空間Ｓ内に戻すことができる。
【００４３】
また、本実施形態では、シール部材２０は有底筒状形状を有し、計量空間Ｍは、底壁２３と、底壁２３の外周端から起立するシール部材２０の周壁２１と、キャップ本体１０の天壁１３とにより画定されるように構成した。このような構成の採用によって、キャップ部材１に設けたシール部材２０によって錠剤Ｊの計量空間Ｍを定めることができるので、部品点数を増加させることなく錠剤Ｊの計量を簡便に行うことができる。また、シール部材２０の変更のみによって計量する錠剤Ｊの数量を容易に変更することができる。
【００４４】
次に、本開示の第２実施形態に係る錠剤容器２００について詳細に例示説明する。
【００４５】
なお、本実施形態に係る錠剤容器２００は、第１実施形態と比較して、シール部材１２０における周壁２１の上端開口が頂壁１２８により上方から覆われる一方、保持部２９の下方に形成された案内壁２７が支持リブ２７ａにより支持されていない他は、第１実施形態と近似している。ここでは、第１実施形態との差異点を中心に説明する。また、第１実施形態と構成が共通する部位には同一の符号を付して説明する。
【００４６】
本実施形態に係るシール部材１２０は、底壁２３及び周壁２１を有する有底筒状部材の上端開口が頂壁１２８により覆われる構成を有しており、キャップ本体１０の内側に装着されている。すなわち、シール部材１２０は、図８に示すように、容器本体２の収容空間Ｓに面する底壁２３と、底壁２３の外周端から起立する周壁２１と、周壁２１の上端部から径方向外側に延びるフランジ部２５と、フランジ部２５の上面に積層されると共に周壁２１の上端開口を上方から覆う頂壁１２８とを備えている。頂壁１２８は、図９（ａ），（ｂ）に示すように、ヒンジ部１２６を介してフランジ部２５と一体形成されている。
【００４７】
頂壁１２８には、周壁２１の内面に上方から嵌合する筒状のシール壁１２８ａが設けられている。シール壁１２８ａを周壁２１の上端部における内面に嵌合させることで、頂壁１２８は、計量空間Ｍの上部開口を閉塞している。頂壁１２８は、図８及び図９に示すように、フランジ部２５に積層される外周部が、内周部と比較して薄肉に形成されている。これによって、外周部における頂壁１２８の厚みとフランジ部２５の厚みとの和が、内周部における頂壁１２８の厚みと近似するように構成されている。このように、本実施形態では、底壁２３、周壁２１、フランジ部２５及び頂壁１２８を有するシール部材１２０単体で錠剤Ｊの計量空間Ｍを形成している。そして、計量空間Ｍの上部を覆う頂壁１２８を設けることで、図１に示す頂壁が無い場合（第１実施形態）と比較して、口部４の上端部とキャップ本体１０の天壁１３との間から径方向内側に向かって侵入する空気等に対するバリア性を高めることができる。
【００４８】
なお、本実施形態では、フランジ部２５の上面に頂壁１２８の外周部が積層されるように構成したが、この態様には限定されない。例えば、フランジ部２５の径方向内側に頂壁１２８が嵌合するように構成するなどしてもよい。
【００４９】
また、本実施形態では、頂壁１２８が上方から周壁２１の上端開口を完全に覆うように構成したが、この態様には限定されない。例えば、頂壁１２８の径方向中央部に開口が形成されていてもよい。開口が形成されていても、口部４の上端部とキャップ本体１０の天壁１３との間から径方向内側に向かって侵入しようとする空気等に対するバリア性を高めることができるからである。
【００５０】
本実施形態では、頂壁１２８と一体形成された筒状のシール壁１２８ａが周壁２１の内面に上方から嵌合する。これによって、積層されたフランジ部２５と頂壁１２８との隙間から径方向内側に向かって侵入する空気等に対するバリア性を高めることができる。
【００５１】
図８の例では、フランジ部２５の外周端がキャップ本体１０の外周壁１１の内面にアンダーカット係合することでシール部材１２０はキャップ本体１０に固定されている。また、シール部材１２０は、上述のフランジ部２５及びフランジ部２５の上面に積層される頂壁１２８の外周部が口部４の上端部とキャップ本体１０の天壁１３との間で挟持されることで口部４を気密にシールしている。本実施形態では、図８に示すように、シール部材１２０の底壁２３、周壁２１及び頂壁１２８によって計量空間Ｍが画定されている。
【００５２】
本実施形態では、保持部２９から下方に突出する案内壁２７を径方向外側から支持リブ２７ａによって支持していない。案内壁２７を他の部材で支持するか否かについては、案内壁２７の材質、厚み、長さ等に応じて適宜定めることができる。
【００５３】
以上述べたように、本実施形態では、シール部材１２０は、底壁２３と、底壁２３の外周端から起立するシール部材１２０の周壁２１と、周壁２１の上端開口を上方から覆う頂壁１２８と、周壁２１の上端部から径方向外側に延びるフランジ部２５とを有するように構成した。このような構成の採用によって、口部４の上端部とキャップ本体１０の天壁１３との間にフランジ部２５及び頂壁１２８（又はフランジ部２５のみ）が挟持され、更に径方向内側に向かって頂壁１２８が設けられることで口部４の上端部とキャップ本体１０の天壁１３との間には径方向に厚いバリア層が形成されている。従って、口部４の上端部とキャップ本体１０の天壁１３との間から侵入する空気等に対するバリア性を高めることができる。
【００５４】
また、本実施形態では、頂壁１２８は、ヒンジ部１２６を介してフランジ部２５に一体形成されるように構成した。このような構成の採用によって、周壁２１の上端開口を頂壁１２８で閉塞する構成としてもシール部材１２０を成形する金型のコア材を複雑化する必要がない。従って、シール部材１２０を成形する金型を複雑化することなく、口部４の上端部とキャップ本体１０の天壁１３との間から侵入する空気等に対するバリア性を高めることができる。
【００５５】
また、本実施形態では、口部４の内面に嵌合するシール壁１２８ａが、頂壁１２８から垂下するように構成した。このような構成の採用によって、フランジ部２５と頂壁１２８との隙間から侵入する空気等に対するバリア性を高めることができる。
【００５６】
次に、本開示の第３実施形態に係る錠剤容器３００について詳細に例示説明する。
【００５７】
なお、本実施形態に係る錠剤容器３００は、第２実施形態と比較して、保持部２９から下方に突出する案内壁２７を削除すると共に、周壁２１が底壁２３を越えて下方に延びる延設部２２１を有するように構成したほかは、第２実施形態と近似している。従って、ここでは主に第２実施形態との差異点について説明する。また、第１、第２実施形態と構成が共通する部位には同一の符号を付して説明する。
【００５８】
本実施形態に係るシール部材２２０は、底壁２３及び周壁２１を有する有底筒状部材の上端開口が頂壁１２８により覆われる構成を有しており、キャップ本体１０の内側に装着されている。すなわち、シール部材２２０は、図１０に示すように、容器本体２の収容空間Ｓに面する底壁２３と、底壁２３の外周端から起立する周壁２１と、周壁２１の上端部から径方向外側に延びるフランジ部２５と、フランジ部２５の上面に積層されると共に周壁２１の上端開口を上方から覆う頂壁１２８とを備えている。そして、底壁２３、周壁２１、フランジ部２５及び頂壁１２８を有するシール部材２２０単体で錠剤Ｊの計量空間Ｍを形成している。また、本実施形態では、図１０に示すように、周壁２１は底壁２３を越えて下方に延びる延設部２２１を有している。
【００５９】
周壁２１の延設部２２１は、図１０に示すように、底壁２３と共に有頂筒状形状を構成しており、後述するように、当該有頂筒状形状を用いて計量空間Ｍ内に内容物（錠剤Ｊ）を導き易くしたり、計量空間Ｍ内の内容物を所定の場所に向けて排出し易くすることができる。
【００６０】
図１１は、図１０のＢ−Ｂ断面による断面図であり、本実施形態に係る錠剤容器３００のシール部材２２０を含む断面図である。本実施形態では、延設部２２１は、図１１に示すように、周方向の一部が周壁２１とは異なる径方向位置に設けられている。すなわち、周壁２１は、第１実施形態及び第２実施形態と同様に、略円筒形状を有しているのに対し、本実施形態に係る延設部２２１は、保持部２９の周方向両端部近傍において、径方向内側に局所的に縮径された縮径部２２１ａを備えている。このような構成とすることで、後述するように、計量空間Ｍ内に入り切らなかった余分の内容物を、この２つの縮径部２２１ａの間の領域を経由して収容空間Ｓ内に戻し易くすることができる。
【００６１】
本実施形態では、第１実施形態及び第２実施形態とは異なり、保持部２９から下方に突出する案内壁２７を設けていない。図１１から理解されるように、案内壁２７を設けなくても、縮径部２２１ａを設けることにより、容器本体２内の錠剤Ｊを計量空間Ｍ内に充填して所定量を計量しようとする際に、保持部２９近傍にある錠剤Ｊを開口部２３ａの方向に誘導して計量空間Ｍ内に入り易くすることができるからである。また、縮径部２２１ａによって、径方向外側から片持ち支持されている保持部２９の強度を高めることもできる。
【００６２】
次に、図１０及び図１１に示す錠剤容器３００を用いて、所定量の錠剤Ｊを計量して使用する手順について詳説する。
【００６３】
上記構成を有する錠剤容器３００を利用するに際しては、利用者はまず、図１０の状態からキャップ本体１０の外周壁１１を把持して中心軸線Ｏ周りに回動させ、キャップ部材２０１を口部４から取り外す。次に利用者は、図１２に示すように、取り外したキャップ部材２０１の延設部２２１側が上方を向くように上下反転させて手のひらや机等の上に置き、容器本体２の胴部５を把持しながら９０度以上傾倒させる。これによって、収容空間Ｓ内の内容物である錠剤Ｊは、口部４から排出されてキャップ部材２０１の開口部２３ａから計量空間Ｍ内に充填される。
【００６４】
特に本実施形態では、底壁２３から延設部２２１を図１２の上方に延設しているので、収容空間Ｓから排出された錠剤Ｊが延設部２２１の内側をガイドされつつ開口部２３ａまで到達することができる。従って、収容空間Ｓから排出された錠剤Ｊが意図せず周壁２１と雌ねじ部１１ａとの間の領域に入り込んでしまうのを抑制することができる。
【００６５】
次に利用者は、容器本体２を再び正立姿勢に戻した後、手のひらや机等に置かれているキャップ部材２０１をそのままの姿勢で持ち上げて口部４の上方まで移動させる。利用者は、保持部２９の位置が他の周方向位置よりも下方に位置するようにキャップ部材２０１を図１２の紙面に垂直な軸線周りに図１２の時計回りに回転させる。そして、図１３に示すように、開口部２３ａが天壁１３よりもやや下方に位置する姿勢までキャップ部材２０１を回転させる。これによって、保持部２９に位置する錠剤Ｊは、底壁２３（保持部２９）と天壁１３との間に保持される一方、保持部２９以外の周方向位置に位置する錠剤Ｊは、底壁２３によって十分な面積で保持されないために、計量空間Ｍから脱落して容器本体２内に落下する。以上の手順によって、保持部２９に位置する錠剤Ｊのみが計量空間Ｍ内に保持される一方、他の周方向位置の錠剤Ｊは計量空間Ｍから排除されるため、保持部２９の周方向長さ（領域の大きさ）に対応した所定量の錠剤Ｊを計量することができる。
【００６６】
本実施形態では、延設部２２１が外周壁１１の下端部を越えて下方に突出しているため、錠剤Ｊを容器本体２内に戻す際に延設部２２１が錠剤Ｊをガイドして容易に戻すことができる。特に本実施形態では、図１４（ａ）に示すように保持部２９の周方向端部近傍において局所的に縮径された縮径部２２１ａを設けるようにしたので、保持部２９で保持されなかった錠剤Ｊを容器本体２内に戻す際に２つの縮径部２２１ａで囲まれた領域（図１４（ａ）の下方の周方向位置）を経由して容易に戻すことができる。
【００６７】
次に利用者は、保持部２９が下方に位置する図１４（ａ）の姿勢からキャップ部材２０１を中心軸線Ｏ周りに図１４（ｂ）に示す矢印の方向に回転させる。これによって、保持部２９は、周方向に移動しながら上方に移動するが、錠剤Ｊは、計量空間Ｍ内を周方向に滑りながら下方の位置を維持しようとする。従って、保持部２９と錠剤Ｊとの周方向位置に徐々にずれが生じ、キャップ部材２０１を中心軸線Ｏ周りに１８０度回転させた段階で錠剤Ｊはもはや保持部２９によって保持されず、開口部２３ａを通じて排出可能となる。従って、この状態で開口部２３ａ付近に手のひらを移動させることで所定量の錠剤Ｊを手のひらに載せることができる。
【００６８】
なお、計量された所定量の錠剤Ｊを手のひらに導く方法は上記に限定されず、例えば、図１３に示す姿勢からキャップ部材２０１を更に図１３の時計回りに回転させ続け、図１５に示すように保持部２９が中心軸線Ｏよりも上方に位置する姿勢とすればよい。これによって、保持部２９内の錠剤Ｊは、図１５において下方に向けて開口する開口部２３ａを通じて計量空間Ｍから排出され、利用者は所定量の錠剤Ｊを手のひらに載せることができる。
【００６９】
特に本実施形態では、延設部２２１が外周壁１１の下端部を越えて下方に突出しているため、錠剤Ｊを手のひらに載せる際に延設部２２１が錠剤Ｊをガイドして容易に手のひらに載せることができる。
【００７０】
図１６（ａ），（ｂ）は、第３実施形態に係る錠剤容器３００の変形例を構成するシール部材３２０を示している。変形例を構成するシール部材３２０は、シール部材２２０（図１０、図１１等参照）と比較して、錠剤Ｊを保持し得るのに必要な領域を保持部３２９として周方向に間欠的に形成し、保持するのに必ずしも必要でない保持部３２９の間の領域を切り欠き部３２３ａとして切り欠くようにした。また、延設部３２１についても、周方向に複数の切り欠き部３２１ｃを設けるようにして、延設部３２１が周方向に間欠的に配置されるようにした。このような構成の採用によって、保持部３２９及び延設部３２１における合成樹脂の使用量を削減することができる。
【００７１】
なお、保持部３２９間の切り欠き部３２３ａや、延設部３２１間の切り欠き部３２１ｃの大きさは、錠剤Ｊが切り欠き部３２３ａ，３２１ｃを通過したり、挟まったりしないような適切な大きさに設定することが好ましい。
【００７２】
以上述べたように、本実施形態では、周壁２１は、底壁２３を越えて下方に延びる延設部２２１を有するように構成した。このような構成の採用によって、計量空間Ｍによって所定量の錠剤Ｊを計量する際に、収容空間Ｓから排出された錠剤Ｊが延設部２２１の内側をガイドされて開口部２３ａまで到達することができる。従って、収容空間Ｓから排出された錠剤Ｊが意図せず周壁２１と雌ねじ部１１ａとの間の領域に入り込んでしまうのを抑制することができる。また、余分な錠剤Ｊを容器本体２内に戻す際に延設部２２１が錠剤Ｊをガイドして容易に戻すことができる。更に、計量された所定量の錠剤Ｊを手のひらに載せる際に延設部２２１が錠剤Ｊをガイドして容易に手のひらに載せることができる。
【００７３】
また、本実施形態では、延設部２２１は、保持部２９の周方向端部近傍において局所的に縮径されるように構成した。このような構成の採用によって、保持部２９で保持されなかった錠剤Ｊを容器本体２内に戻す際に、２つの縮径部２２１ａで囲まれた領域（図１４（ａ）の下方の周方向位置）を経由して容易に戻すことができる。
【００７４】
また、本実施形態では、保持部２９及び延設部２２１の少なくとも一方は、周方向に切り欠き部３２３ａ，３２１ｃを挟んで間欠的に形成されるように構成した。このような構成の採用によって、保持部３２９及び延設部３２１の少なくとも一方における合成樹脂の使用量を削減することができる。
【００７５】
本開示を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部に含まれる機能などは論理的に矛盾しないように再配置可能であり、複数の構成部を１つに組み合わせたり、或いは分割したりすることが可能である。本発明の範囲にはこれらも包含されるものと理解されたい。
【００７６】
例えば、第１〜第３実施形態では、シール部材２０，１２０，２２０，３２０のフランジ部２５が口部４の上端部に当接することで口部４をシールするように構成したが、この態様には限定されない。例えば、シール部材２０，１２０，２２０，３２０が口部４の内周面に当接することで口部４をシールするように構成してもよい。
【００７７】
また、第１〜第３実施形態では、シール部材２０，１２０，２２０，３２０がキャップ本体１０に対してアンダーカット係合することにより固定されるように構成したが、この態様には限定されない。シール部材２０，１２０，２２０，３２０は、嵌合、ねじ係合、溶着等の他の手段によってキャップ本体１０に固定されるように構成してもよい。
【００７８】
また、第１、第２実施形態では、保持部２９から下方に突出する案内壁２７が設けられるように構成したが、この態様には限定されない。錠剤Ｊが開口部２３ａに導かれるように他の案内手段を設けてもよいし、案内手段を設けなくてもよい。
【００７９】
また、第１〜第３実施形態では、保持部２９が径方向内側に向かって下方に傾斜するように構成したが、この態様には限定されず、保持部２９は他の方向に向かって傾斜してもよいし、傾斜していなくてもよい。
【００８０】
また、第２、第３実施形態では、頂壁１２８がヒンジ部１２６を介してフランジ部２５に一体形成されるように構成したが、この態様には限定されない。頂壁１２８は、周壁２１又はフランジ部２５に対して直接一体形成されていてもよい。また、頂壁１２８は、フランジ部２５と別体で形成されるようにしてもよい。
【００８１】
また、第３実施形態の変形例では、保持部２９及び延設部２２１の双方が、周方向に切り欠き部３２３ａ，３２１ｃを挟んで間欠的に形成されるように構成したが、この態様には限定されない。保持部２９又は延設部２２１の一方のみが、周方向に切り欠き部３２３ａ，３２１ｃを挟んで間欠的に形成されるように構成してもよい。
【符号の説明】
【００８２】
１        キャップ部材
２        容器本体
４        口部
４ａ      雄ねじ部
４ｂ      ネックリング
５        胴部
６        底部
７        肩部
１０      キャップ本体
１１      外周壁
１１ａ    雌ねじ部
１３      天壁
２０      シール部材
２１      周壁
２３      底壁
２３ａ    開口部
２５      フランジ部
２７      案内壁
２７ａ    支持リブ
２９      保持部
１００，２００，３００    錠剤容器
１２０    シール部材
１２６    ヒンジ部
１２８    頂壁
１２８ａ  シール壁
２２０    シール部材
２２１    延設部
２２１ａ  縮径部
３２０    シール部材
３２１    延設部
３２１ｃ  切り欠き部
３２３ａ  切り欠き部
３２９    保持部
Ｊ        錠剤
Ｍ        計量空間
Ｏ        中心軸線
Ｓ        収容空間
【図１】
2020125152.tif 000003
【図２】
2020125152.tif 000004
【図３】
2020125152.tif 000005
【図４】
2020125152.tif 000006
【図５】
2020125152.tif 000007
【図６】
2020125152.tif 000008
【図７】
2020125152.tif 000009
【図８】
2020125152.tif 000010
【図９】
2020125152.tif 000011
【図１０】
2020125152.tif 000012
【図１１】
2020125152.tif 000013
【図１２】
2020125152.tif 000014
【図１３】
2020125152.tif 000015
【図１４】
2020125152.tif 000016
【図１５】
2020125152.tif 000017
【図１６】
2020125152.tif 000018